【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
入力された音声信号の振幅レベルを、ゲインを用いて調整する第１のレベル制御手段であって、前記第１のレベル制御手段からの音声信号の振幅レベルが所定範囲の上限値を超えた場合はゲインを低下させるリミット動作を行い、前記第１のレベル制御手段からの音声信号の振幅レベルが前記所定範囲の下限値より小さい場合はゲインを増加させるリカバリ動作を行う、第１のレベル制御手段と、
前記第１のレベル制御手段からの音声信号の振幅レベルを、ゲインを用いて調整する第２のレベル制御手段であって、前記第２のレベル制御手段からの音声信号の振幅レベルが前記所定範囲の上限値を超えた場合はゲインを低下させるリミット動作を行い、前記第２のレベル制御手段からの音声信号の振幅レベルが前記所定範囲の下限値より小さい場合はゲインを増加させるリカバリ動作を行う、第２のレベル制御手段と、を有し、
前記第１のレベル制御手段でのリカバリ動作時のゲインの増加の時定数を、前記第２のレベル制御手段でのリカバリ動作時のゲインの増加の時定数より大きくすることを特徴とする音声処理装置。
【請求項２】
前記入力された音声信号の振幅レベルが０レベルと交差するゼロクロスを検出するゼロクロス検出手段を更に有し、
前記第１のレベル制御手段及び前記第２のレベル制御手段はそれぞれ、前記ゼロクロスが検出されたタイミングで前記ゲインを変化させることを特徴とする請求項１に記載の音声処理装置。
【請求項３】
前記第１のレベル制御手段及び前記第２のレベル制御手段はそれぞれ、前記リカバリ動作時におけるゲインの増加の時定数を、前記リミット動作時におけるゲインの低下の時定数より大きくすることを特徴とする請求項１または２に記載の音声処理装置。
【請求項４】
入力された音声信号の振幅レベルが所定範囲内に収まるように前記振幅レベルを調整する音声処理装置であって、
入力された音声信号の振幅レベルを判定する判定手段と、
前記判定された振幅レベルに第１ゲインを乗じて得た振幅レベルを予測する第１の予測手段と、
前記第１の予測手段で予測された振幅レベルに第２ゲインを乗じて得た振幅レベルを予測する第２の予測手段と、
前記第１の予測手段で予測された振幅レベルが前記所定範囲の上限値を超えた場合は前記第１ゲインを低下させるリミット動作を行い、前記第１の予測手段で予測された振幅レベルが前記所定範囲の下限値より小さい場合は前記第１ゲインを増加させるリカバリ動作を行う、第１のゲイン制御手段と、
前記第２の予測手段で予測された振幅レベルが前記所定範囲の上限値を超えた場合は前記第２ゲインを低下させるリミット動作を行い、前記第２の予測手段で予測された振幅レベルが前記所定範囲の下限値より小さい場合は前記第２ゲインを増加させるリカバリ動作を行う、第２のゲイン制御手段と、
前記第１のゲイン制御手段により制御された前記第１ゲインと前記第２のゲイン制御手段により制御された前記第２ゲインとを合計した合計ゲインにより、前記入力された音声信号の振幅レベルを調整する調整手段と、を有し、
前記第１のゲイン制御手段でのリカバリ動作時の前記第１ゲインの増加の時定数を、前記第２のゲイン制御手段でのリカバリ動作時の前記第２ゲインの増加の時定数より大きくすることを特徴とする音声処理装置。
【請求項５】
前記第２の予測手段で予測された振幅レベルが前記所定範囲内に収まっている場合に、前記第１ゲインが変化しても前記合計ゲインが変化しないように前記第１ゲインを調整する手段を更に有することを特徴とする請求項４に記載の音声処理装置。
【請求項６】
前記入力された音声信号の振幅レベルが０レベルを交差するゼロクロスを検出するゼロクロス検出手段を更に有し、
前記第１のゲイン制御手段及び前記第２のゲイン制御手段はそれぞれ、前記ゼロクロスが検出されたタイミングで前記第１ゲイン及び前記第２ゲインを変化させることを特徴とする請求項４又は５に記載の音声処理装置。
【請求項７】
第１のレベル制御手段が、入力された音声信号の振幅レベルを、ゲインを用いて調整する第１のレベル制御ステップであって、前記第１のレベル制御手段からの音声信号の振幅レベルが所定範囲の上限値を超えた場合はゲインを低下させるリミット動作を行い、前記第１のレベル制御手段からの音声信号の振幅レベルが前記所定範囲の下限値より小さい場合はゲインを増加させるリカバリ動作を行う、第１のレベル制御ステップと、
第２のレベル制御手段が、前記第１のレベル制御手段からの音声信号の振幅レベルを、ゲインを用いて調整する第２のレベル制御ステップであって、前記第２のレベル制御手段からの音声信号の振幅レベルが前記所定範囲の上限値を超えた場合はゲインを低下させるリミット動作を行い、前記第２のレベル制御手段からの音声信号の振幅レベルが前記所定範囲の下限値より小さい場合はゲインを増加させるリカバリ動作を行う、第２のレベル制御ステップと、を有し、
前記第１のレベル制御ステップでのリカバリ動作時のゲインの増加の時定数を、前記第２のレベル制御ステップでのリカバリ動作時のゲインの増加の時定数より大きくすることを特徴とする音声処理装置の制御方法。
【請求項８】
入力された音声信号の振幅レベルが所定範囲内に収まるように前記振幅レベルを調整する音声処理装置の制御方法であって、
判定手段が、入力された音声信号の振幅レベルを判定する判定ステップと、
第１の予測手段が、前記判定された振幅レベルに第１ゲインを乗じて得た振幅レベルを予測する第１の予測ステップと、
第２の予測手段が、前記第１の予測ステップで予測された振幅レベルに第２ゲインを乗じて得た振幅レベルを予測する第２の予測ステップと、
第１のゲイン制御手段が、前記第１の予測ステップで予測された振幅レベルが前記所定範囲の上限値を超えた場合は前記第１ゲインを低下させるリミット動作を行い、前記第１の予測ステップで予測された振幅レベルが前記所定範囲の下限値より小さい場合は前記第１ゲインを増加させるリカバリ動作を行う、第１のゲイン制御ステップと、
第２のゲイン制御手段が、前記第２の予測ステップで予測された振幅レベルが前記所定範囲の上限値を超えた場合は前記第２ゲインを低下させるリミット動作を行い、前記第２の予測ステップで予測された振幅レベルが前記所定範囲の下限値より小さい場合は前記第２ゲインを増加させるリカバリ動作を行う、第２のゲイン制御ステップと、
調整手段が、前記第１のゲイン制御ステップで制御された前記第１ゲインと前記第２のゲイン制御ステップで制御された前記第２ゲインとを合計した合計ゲインにより、前記入力された音声信号の振幅レベルを調整する調整ステップと、を有し、
前記第１のゲイン制御ステップでのリカバリ動作時の前記第１ゲインの増加の時定数を、前記第２のゲイン制御ステップでのリカバリ動作時の前記第２ゲインの増加の時定数より大きくすることを特徴とする音声処理装置の制御方法。
【請求項９】
コンピュータを、請求項１から６のいずれか１項に記載の音声処理装置が有する各手段として機能させるためのプログラム。
【手続補正２】
【補正対象書類名】明細書
【補正対象項目名】０００７
【補正方法】変更
【補正の内容】
【０００７】
本発明の一側面によれば、入力された音声信号の振幅レベルを、ゲインを用いて調整する第１のレベル制御手段であって、前記第１のレベル制御手段からの音声信号の振幅レベルが所定範囲の上限値を超えた場合はゲインを低下させるリミット動作を行い、前記第１のレベル制御手段からの音声信号の振幅レベルが前記所定範囲の下限値より小さい場合はゲインを増加させるリカバリ動作を行う、第１のレベル制御手段と、前記第１のレベル制御手段からの音声信号の振幅レベルを、ゲインを用いて調整する第２のレベル制御手段であって、前記第２のレベル制御手段からの音声信号の振幅レベルが前記所定範囲の上限値を超えた場合はゲインを低下させるリミット動作を行い、前記第２のレベル制御手段からの音声信号の振幅レベルが前記所定範囲の下限値より小さい場合はゲインを増加させるリカバリ動作を行う、第２のレベル制御手段とを有し、前記第１のレベル制御手段でのリカバリ動作時のゲインの増加の時定数を、前記第２のレベル制御手段でのリカバリ動作時のゲインの増加の時定数より大きくすることを特徴とする音声処理装置が提供される。